(57)【要約】【課題】手探りでも３位置への切り替え操作が確実にできる切替スイッチを備えたメガネを提供する。【解決手段】切替スイッチ３がフレームに設置され、フレームは、内角が９０度より大きく横向きのＶ字形の開口４を有し、操作部６ｂは開口４に遊嵌して外方に突出している。操作部６ｂの移動経路はＶ字形をなし、３位置の中間位置（開口４の上下中間位置）と残りの２位置（開口４の上下端位置）の夫々とを結ぶ移動方向が互いに交差している。切替スイッチ３は、操作ピン５ａが直線移動して３位置に切り替えられるスイッチ部５と、操作ピン５ａの移動方向と交差する方向に長孔状に形成されて操作ピン５ａを遊嵌した案内孔６ａ及び案内孔６ａから離間し、上記操作部を構成する突起６ｂを有し、操作ピン５ａの移動方向と直交する方向及び平行な方向に移動自在なスライダー６とを備えている。【選択図】図３
2013127498.tif 000002
【特許請求の範囲】
【請求項１】
３位置にスライド移動自在な操作部を備えた切替スイッチがフレームに設置してあるメガネにおいて、
前記３位置のうちの中間位置と残りの２位置の夫々とを結ぶ前記操作部の移動方向が互いに交差していることを特徴とするメガネ。
【請求項２】
前記操作部の移動経路がＬ字形又はＶ字形をなすことを特徴とする請求項１に記載のメガネ。
【請求項３】
前記切替スイッチは、
操作ピンが直線的に移動して３位置に切り替えられるスイッチ部と、
前記操作ピンの移動方向と交差する方向に長孔状に形成されて前記操作ピンを遊嵌した案内孔、及び、該案内孔から離間した突起を有し、前記操作ピンの移動方向と直交する方向及び平行な方向に移動自在なスライダーとを備え、
前記フレームは、Ｌ字形又はＶ字形の開口を有し、該開口の内部側に前記スイッチ部及びスライダーを収容し、
前記突起は前記開口に遊嵌して外方に突出し、前記操作部を構成していることを特徴とする請求項２に記載のメガネ。
【請求項４】
前記フレームは、レンズを保持する前枠を有し、
該前枠の側部の後面又は内側面に、横向きのＶ字で内角が９０度より大きいＶ字形の開口を形成し、該Ｖ字形の開口に前記突起を遊嵌して前記前枠の側部に前記切替スイッチが設けてあることを特徴とする請求項３に記載のメガネ。
【請求項５】
３Ｄ映像表示装置に使用される３Ｄ映像視聴用のメガネであって、
前記切替スイッチは、電源オフ状態と、２Ｄ映像視聴状態と、３Ｄ映像視聴状態との３状態への切替指令を発することを特徴とする請求項１から４の何れか１項に記載のメガネ。
【発明の詳細な説明】
【技術分野】
【０００１】
本発明は、３位置の切替が可能な切替スイッチをフレームに取り付けたメガネ、特に３Ｄ映像視聴用のメガネに関する。
【背景技術】
【０００２】
アクティブシャッター方式の３Ｄテレビジョンでは３Ｄ映像を視聴するために、３Ｄ映像を表示しているＴＶ画面の左目用、右目用の各表示タイミングに同期させて３Ｄ映像視聴用メガネの左右の液晶レンズの開閉タイミングを制御している（特許文献１参照）。
【０００３】
３Ｄ映像視聴用のメガネではないが、液晶レンズに電圧を印加して焦点距離を変化させて度数を変更する遠近両用メガネに関して、特許文献２に、テンプルの展開操作によってオンし、折り畳み操作によってオフする電源スイッチをフレーム前枠とテンプルとの連結部分に配置した構成が示されている。また特許文献３には、メガネの装着時のテンプルの傾斜を検出し、この傾斜に応じてメガネの度数を段階的に変更する場合に、傾斜の大きさを判定する際の３段階の基準値を設定するスライドスイッチをテンプルに備えた構成が示されている。
【先行技術文献】
【特許文献】
【０００４】
【特許文献１】特開２０００−２７５５７５号公報
【特許文献２】特開昭６１−１７７４３５号公報
【特許文献３】特開２００７−５２１１６号公報
【発明の概要】
【発明が解決しようとする課題】
【０００５】
１台の３Ｄテレビジョンを複数の人数で視聴するとき、３Ｄ映像を視聴したい人と、ＴＶ画面は３Ｄ表示されていても２Ｄ映像を視聴したい人とが混在する場合がある。このような場合には、３Ｄ映像視聴用のメガネを２Ｄ映像の視聴が可能なシャッター開閉タイミングと３Ｄ映像視聴用のシャッター開閉タイミングとに切り替え制御する制御部を設けることで対応が可能である。この場合、制御部に対して２Ｄ映像と３Ｄ映像との各視聴状態への切替を指令するための切替スイッチがメガネに設けられるが、メガネを掛けた状態で切替操作を行う場合が多いので、メガネをかけたままで手探りでも確実にスイッチ操作できるようにする必要がある。
【０００６】
本発明は、上述したような事情に鑑みてなされたものであり、手探りでも３位置への切り替え操作が確実にできる切替スイッチを備えたメガネを提供することを目的とする。
【課題を解決するための手段】
【０００７】
本発明に係るメガネは、３位置にスライド移動自在な操作部を備えた切替スイッチがフレームに設置してあるメガネにおいて、前記３位置のうちの中間位置と残りの２位置の夫々とを結ぶ前記操作部の移動方向が互いに交差していることを特徴とする。
【０００８】
本発明においては、操作部を３位置にスライド移動させた場合、中間位置で移動方向が変化するので、その移動方向の変化によって中間位置を的確に認識し、中間位置に切り替えることができる。又、操作部を中間位置から一方側に移動させて残りの２位置の一方に切り替えることができ、操作部を中間位置から他方側に移動させて残りの２位置の他方に切り替えることができる。
【０００９】
本発明に係るメガネは、前記操作部の移動経路がＬ字形又はＶ字形をなすことを特徴とする。
本発明においては、操作部の移動経路がＬ字形又はＶ字形と分かり易い形であるので、３位置への移動操作がさらに確実にできる。
【００１０】
本発明に係るメガネは、前記切替スイッチは、操作ピンが直線的に移動して３位置に切り替えられるスイッチ部と、前記操作ピンの移動方向と交差する方向に長孔状に形成されて前記操作ピンを遊嵌した案内孔及び該案内孔から離間した突起を有し、前記操作ピンの移動方向と直交する方向及び平行な方向に移動自在なスライダーとを備え、前記フレームは、Ｌ字形又はＶ字形の開口を有し、該開口の内部側に前記スイッチ部及びスライダーを収容し、前記突起は前記開口に遊嵌して外方に突出し、前記操作部を構成していることを特徴とする。
【００１１】
本発明においては、フレームのＬ字形又はＶ字形の開口に遊嵌されて外方に突出し、前記操作部を構成する突起をＬ字形又はＶ字形の開口に沿ってスライド移動させると、該開口の内部側では、該突起及び長孔状の案内孔を有するスライダーが突起と共に移動し、該スライダーの移動に伴い、スライダーの長孔状の案内孔に遊嵌された操作ピンが案内孔内を摺動しながら案内孔の長手方向と交差する方向に直線的に移動し、スイッチ部が３位置に切り替えられる。その結果、切替スイッチが３位置に切替操作される。
【００１２】
本発明に係るメガネは、前記フレームは、レンズを保持する前枠を有し、該前枠の側部の後面又は内側面に、横向きのＶ字で内角が９０度より大きいＶ字形の開口を形成し、該Ｖ字形の開口に前記突起を遊嵌して前記前枠の側部に前記切替スイッチが設けてあることを特徴とする。
本発明においては、レンズを保持する前枠の側部の後面又は内側面に形成した横向きで内角が９０度より大きいＶ字形の開口に遊嵌されて外方に突出した突起を、中間位置であるＶ字の角部及びＶ字の角部から上下に移動させて３位置に切り替える。その結果、前枠の側部に設けてある切替スイッチの切替操作が容易にできる。
【００１３】
本発明に係るメガネは、３Ｄ映像表示装置に使用される３Ｄ映像視聴用のメガネであって、前記切替スイッチは、電源オフ状態と、２Ｄ映像視聴状態と、３Ｄ映像視聴状態との３状態への切替指令を発することを特徴とする。
本発明においては、操作部を３位置の１つに移動させると電源オフ状態への切替指令が発せられ、３位置の別の１つに移動させると２Ｄ映像視聴状態への切替指令が発せられ、３位置の残りの１つに移動させると３Ｄ映像視聴状態への切替指令が発せられる。
【発明の効果】
【００１４】
本発明によれば、３位置にスライド移動自在な操作部の移動方向が３位置の中間位置で変化するので中間位置を的確に認識することができ、手探りでも中間位置と中間位置の両側の２位置とを含む３位置への切り替え操作が確実にできる切替スイッチを備えたメガネが提供される。
【図面の簡単な説明】
【００１５】
【図１】本発明の実施の形態１に係るメガネの背面図である。
【図２】図１のＩＩ−ＩＩ線における側面図である。
【図３】図１に示すメガネの一部を拡大した一部透視背面図である。
【図４】図２に示すメガネの一部を拡大した側面断面図である。
【図５】図４のＶ−Ｖ線における平面断面図である。
【図６】スイッチの切替位置を示す一部透視背面図である。
【図７】本発明の実施の形態２に係るメガネの要部の一部透視背面図である。
【図８】図７のＶＩＩＩ−ＶＩＩＩ線における側面断面図である。
【図９】スイッチの切替位置を示す一部透視背面図である。
【図１０】別の実施の形態に係るメガネの側面図である。
【図１１】図１０のＸＩ−ＸＩ線における断面図である。
【図１２】スイッチの切替位置を示す側面図である。
【発明を実施するための形態】
【００１６】
以下、本発明に係るメガネの実施の形態について図面に基づいて説明する。
（実施の形態１）
図１は本発明の実施の形態１に係るメガネの背面図、図２は図１のＩＩ−ＩＩ線における側面図、図３は図１に示すメガネの一部を拡大した一部透視背面図、図４は図２に示すメガネの一部を拡大した側面断面図、図５は図４のＶ−Ｖ線における平面断面図である。図６はスイッチの切替位置を示す一部透視背面図である。
【００１７】
本発明に係るメガネのフレーム１は、左右のレンズ２を保持した前枠（フロント）１ａと、前枠１ａに連結された左右のテンプル１ｂと、前枠１ａに対して前側から装着されるカバー１ｃとを有している。前枠１ａは通常のメガネに比べて大きい横幅及び上下幅の側部１ｄを左右に有し、側部１ｄは外側向きに開口している。カバー１ｃは、レンズ２の部分を除いた前枠１ａの前面及び側部１ｄの開口側を覆っている。
【００１８】
本発明に係るメガネは、３Ｄテレビジョン表示装置に使用される専用メガネであり、左右の各レンズ２は、電池（不図示）から供給される電圧の印加により光透過率が変化する液晶層（不図示）を有している。フレーム１の他の箇所に設けた制御回路（不図示）により、３Ｄテレビジョン表示装置の表示画面の表示タイミングに同期して左右の各レンズ２に電池から供給される電圧を印加し、各レンズ２の光透過率を制御する。
【００１９】
前枠１ａの一方の側部１ｄの後面に、横向きのＶ字（言い換えると、くの字）でＶ字の内角が９０度より大きいＶ字形の開口４を形成し、該開口４の内部側に、３位置にスライド移動自在な操作部を備えた切替スイッチ３が設置されている。尚、図３及び図６では、フレーム１（側部１ｄ）の図示を省略し、開口４を仮想線にて示している。
【００２０】
切替スイッチ３は、側部１ｄの内壁側へ突出した操作ピン５ａを有し、操作ピン５ａが縦方向に直線的に移動して３位置に切り替えられるスイッチ部５と、スイッチ部５より側部１ｄの内壁側に位置し、横長状の板材にて形成されたスライダー６とを備えている。スイッチ部５は基板７に保持され、基板７は側部１ｄの内壁に図示しない箇所で接着して取り付けている。
【００２１】
スライダー６は、板の長手方向の一端側に板の長手方向に沿って長孔状の案内孔６ａを有し、該案内孔６ａに操作ピン５ａを遊嵌している。その結果、案内孔６ａは操作ピン５ａの移動方向と略直交する方向に長孔状に形成されている。スライダー６は、板の長手方向の他端部に板面より突起した円柱状部分と板端面より膨出した半円柱状部分とからなる係止体６ｃを有し、該係止体６ｃと案内孔６ａとの間に案内孔６ａから離間して、係止体６ｃの円柱部分より大径で高さが高い円柱状の突起６ｂを有する。
【００２２】
スライダー６は、内側に開口８ａを有する抑え板８によって、側部１ｄの内壁との間に操作ピン５ａの移動方向と直交する方向及び平行な方向に移動自在に保持されている。抑え板８は側部１ｄの内壁に図示しない箇所で接着して取り付けている。突起６ｂは開口４に遊嵌して外方に突出し、切替スイッチ３の操作部を構成している。突起６ｂの移動経路は開口４に沿ったＶ字形の経路である。側部１ｄの内壁の開口４と隣り合う位置に、開口４と相似のＶ字形を有し、開口４より寸法が小さい溝１ｄ１が形成されている。スライダー６の係止体６ｃが溝１ｄ１に嵌合している。
【００２３】
突起６ｂが開口４の中間位置（Ｖ字の角部）に位置した時、操作ピン５ａはスイッチ部５の上下の中間位置に切り替えられると共に、案内孔６ａの一端部側に位置している。突起６ｂを開口４の中間位置から上端位置に移動させると、スライダー６が上方向に移動するとともに案内孔６ａの他端部側から一端部側へ向く方向に横移動するが、案内孔６ａ内を操作ピン５ａが他端部側へ相対移動してスライダー６の横移動が許容され、スイッチ部５が上側位置に切り替えられる。突起６ｂを開口４の中間位置から下端位置に移動させると、スライダー６が下方向に移動するとともに案内孔６ａの他端部側から一端部側へ向く方向に横移動するが、案内孔６ａ内を操作ピン５ａが他端部側へ相対移動してスライダー６の横移動が許容され、スイッチ部５が下側位置に切り替えられる。突起６ｂを開口４の上端及び下端位置から中間位置に移動させる場合は、上記と逆に、案内孔６ａの他端部側に位置している操作ピン５ａが案内孔６ａ内を一端部側へ相対移動してスライダー６の横移動が許容される。
【００２４】
以上より、切替スイッチ３は、突起（操作部）６ｂが開口４の中間位置（Ｖ字の角部）と、開口４の上端位置と、下端位置とに移動して３位置に切替可能であり、中間位置（Ｖ字の角部）と他の２位置（開口４の上端及び下端位置）の夫々を結ぶ突起（操作部）６ｂの移動方向が互いに交差している。尚、突起６ｂが開口４の中間位置、上端位置、下端位置に夫々移動したとき、同時に係止体６ｃが溝１ｄ１の中間位置、上端位置、下端位置に夫々移動し、突起６ｂの移動動作の安定性を確保するようにしている。
【００２５】
切替スイッチ３は、電源オフ状態と、２Ｄ映像視聴状態と、３Ｄ映像視聴状態との３状態への切替指令を発する。具体的には、突起６ｂが開口４の下端位置にあるとき（図６Ｂ）に電源オフ状態になる。次に突起６ｂが中間位置（Ｖ字の角部）に移動操作されると（図３）、２Ｄ映像視聴状態を指令する信号がレンズ２の光透過率を制御する前記制御回路に入力されて、２Ｄ映像が視聴できるように制御される。次に突起６ｂが開口４の上端位置に移動操作されると（図６Ａ）、３Ｄ映像視聴状態を指令する信号がレンズ２の光透過率を制御する前記制御回路に入力されて、３Ｄ映像が視聴できるように制御される。
【００２６】
（実施の形態２）
図７は本発明の実施の形態２に係るメガネの要部の一部透視背面図、図８は図７のＶＩＩＩ−ＶＩＩＩ線における側面断面図、図９はスイッチの切替位置を示す一部透視背面図である。実施の形態２のメガネでは、操作部の移動経路がＬ字形である点が実施の形態１と異なる。
【００２７】
実施の形態２では、側部１ｄの後面に、Ｌ字（正確には逆Ｌ字）形の開口４Ａを形成し、該開口４Ａの内部側に、３位置にスライド移動自在な操作部を備えた切替スイッチ３Ａが設置されている。尚、図７及び図９では、フレーム１（側部１ｄ）の図示を省略し、開口４Ａを仮想線にて示している。
【００２８】
切替スイッチ３Ａは、側部１ｄの内壁側へ突出した操作ピン１１ａを有し、操作ピン１１ａが横方向に直線的に移動して３位置に切り替えられるスイッチ部１１と、スイッチ部１１より側部１ｄの内壁側に位置し、板材にて形成されたスライダー１０とを備えている。図８では、スイッチ部１１を保持する基板、及び、スライダー１０を側部１ｄの内壁との間に移動自在に保持する抑え板の図示を省略している。
【００２９】
スライダー１０は、縦長で下部の横幅が上部の横幅よりも広い段状に形成され、板の横幅方向に対して斜め略４５度の方向に長孔状に形成された案内孔１０ａを上部に有し、該案内孔１０ａに操作ピン１１ａを遊嵌している。その結果、案内孔１０ａは操作ピン１１ａの移動方向に対して斜め略４５度の方向に長孔状に形成されている。スライダー１０は、案内孔１０ａから離間した下部に、矩形状の突起１０ｂを有している。突起１０ｂは開口４Ａに遊嵌して外方に突出し、切替スイッチ３Ａの操作部を構成している。突起（操作部）１０ｂの移動経路は開口４Ａに沿ったＬ字形をなす。
【００３０】
以上より、切替スイッチ３Ａは、Ｌ字の開口４Ａの中間位置（Ｌ字の角部）と、Ｌ字の開口４Ａの右端位置と、下端位置との３位置に切替可能であり、中間位置（Ｌ字の角部）と他の２位置（開口４Ａの右端及び下端位置）の夫々を結ぶ突起（操作部）１０ｂの移動方向が互いに交差（直交）している。そして、切替スイッチ３Ａは、突起１０ｂが開口４Ａの下端位置にあるとき（図９Ｂ）に電源オフ状態になり、突起１０ｂが中間位置（Ｌ字の角部）に操作されると（図７）２Ｄ映像視聴状態を指令し、突起１０ｂが開口４Ａの右端位置に操作されると（図９Ａ）３Ｄ映像視聴状態を指令する。
【００３１】
上記の実施の形態１，２では、切替スイッチ３，３Ａをフレーム１の前枠１ａの側部１ｄの後面に設置したが、側部１ｄの内側面に設置してもよい。
【００３２】
次に、別の実施の形態に係る切替スイッチを備えたメガネについて説明する。
図１０は別の実施の形態に係るメガネの側面図、図１１は図１０のＸＩ−ＸＩ線における断面図、図１２はスイッチの切替位置を示す側面図である。この別の実施の形態では、切替スイッチ２０の切替操作に伴って、フレーム１から外部へ突出する突出部を備えている点で実施の形態１，２と相違する。尚、切替スイッチ２０はフレーム１の前枠１ａの側部１ｄの内側面に設けているが、側部１ｄの後面に設けてもよい。
【００３３】
切替スイッチ２０は、フレーム１の前枠１ａの側部１ｄの内側面側へ突出した操作ピン２１ａを有するスイッチ部２１と、スイッチ部２１より側部１ｄの内側面側に位置したスライダー２２とを備えている。スイッチ部２１は基板２２に保持され、基板２２は側部１ｄの内壁に接着してある。スイッチ部２１は操作ピン２１ａが縦方向に移動して３位置に切り替えられる。
【００３４】
スライダー２２は、縦長状の板材に形成され、操作ピン２１ａが遊嵌した案内凹部２２ａを有している。スライダー２２は、内側に開口２４ａを有する抑え板２４によって、側部１ｄの内壁との間に上下方向に移動自在に保持されている。抑え板２４は側部１ｄの内壁に接着してある。スライダー２２は、案内凹部２２ａの反対側に、断面が横方向に長円形の柱状の突起２２ｂを有している。突起２２ｂは側部１ｄの内側面に設けた上下に長い矩形状の開口１ｄ２から外部へ突出している。スライダー２２の上下端部に、断面Ｌ字状に屈曲した突出部２２ｃが連設されている。各突出部２２ｃの先端は側部１ｄの上面及び下面に設けた孔１ｄ３に挿入されている。
【００３５】
突起２２ｂが開口１ｄ２の上下中間位置にある時、操作ピン２１ａはスイッチ部２１の上下の中間位置（電源オフ位置）に切り替えられ、上下の各突出部２２ｃの先端は側部１ｄ内に位置している（図１１、図１２Ｂ）。突起２２ｂを開口１ｄ２の中間位置から上側に移動させると、スライダー２２が上方向に移動して、案内凹部２２ａに遊嵌した操作ピン２１ａを上側に移動させ、スイッチ部２１が上側位置（３Ｄ映像視聴位置）に切り替えられるとともに、上側の突出部２２ｃが側部１ｄの上面の孔１ｄ３から外部に突出する（図１２Ａ）。突起２２ｂを開口１ｄ２の中間位置から下側に移動させると、スライダー２２が下方向に移動して、案内凹部２２ａに遊嵌した操作ピン２１ａを下側に移動させ、スイッチ部２１が下側位置（２Ｄ映像視聴位置）に切り替えられるとともに、下側の突出部２２ｃが側部１ｄの下面の孔１ｄ３から外部に突出する（図１２Ｃ）。
【００３６】
以上より、別の実施の形態に係る切替スイッチ２０では、上下の３位置に移動自在な突起２２ｂを中間位置に操作した場合、上下の突出部２２ｃが共にフレーム１の外部に突出していないことで中間位置を認識し、突起２２ｂを上側に移動操作した場合は上側の突出部２２ｃがフレーム１の外部に突出していることで上側位置を認識し、突起２２ｂを下側に移動操作した場合は下側の突出部２２ｃがフレーム１の外部に突出していることで下側位置を認識することができ、手探りでも中間位置と中間位置の両側の２位置とを含む３位置への切り替え操作が確実にできる切替スイッチ２０を備えたメガネが提供される。
【００３７】
上記の実施の形態では、本発明に係るメガネを３Ｄテレビジョン視聴用のメガネに適用した例を示したが、これに限るものではなく、例えば電圧の印加によりレンズの焦点距離（度数）を変更する遠近両用メガネにおいて度数を段階的に変更するための切替スイッチに適用することができる。
【００３８】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００３９】
１      フレーム
１ａ    前枠
１ｄ    側部
２      レンズ
３      切替スイッチ
３Ａ    切替スイッチ
４      開口
４Ａ    開口
５      スイッチ部
５ａ    操作ピン
６      スライダー
６ａ    案内孔
６ｂ    突起（操作部）
１０    スライダー
１０ａ  案内孔
１０ｂ  突起（操作部）
１１    スイッチ部
１１ａ  操作ピン
【図１】
2013127498.tif 000003
【図２】
2013127498.tif 000004
【図３】
2013127498.tif 000005
【図４】
2013127498.tif 000006
【図５】
2013127498.tif 000007
【図６】
2013127498.tif 000008
【図７】
2013127498.tif 000009
【図８】
2013127498.tif 000010
【図９】
2013127498.tif 000011
【図１０】
2013127498.tif 000012
【図１１】
2013127498.tif 000013
【図１２】
2013127498.tif 000014